(57)【要約】【課題】  あらかじめ任意の距離にピントの位置を記憶しておき、必要な時にその位置に復帰させる場合、復帰誤差により許容範囲をはずれたり、ズーム位置を変更したことにより合焦していないおそれがある場合が生じるが、そのような場合でもピントズレの写真が撮影されることを防止できるカメラシステムを提供する。【解決手段】  記憶操作手段が操作された時に、記憶操作時のフォーカスレンズ群位置とズレ量を検出し、その検出結果を記憶手段に記憶する。復帰操作手段が操作された時に、前記記憶されたデータ及びその他のデータに基づいて、復帰位置を補正する。【選択図】  図１
2005099084.tif 000002
【特許請求の範囲】
【請求項１】
撮影レンズの特定の撮影距離に関する情報を記憶し、該記憶した情報に基づく撮影距離に撮影レンズを位置決め可能なカメラシステムにおいて、
前記特定の撮影距離における前記撮影レンズの結像面と所定の結像面とのずれ量を検出するずれ量検出手段と、
前記ずれ量に基づいて前記特定の撮影距離を補正する補正手段と、
前記補正された撮影距離に前記撮影レンズを位置決めする制御手段とを備えることを特徴とするカメラシステム。
【請求項２】
焦点距離が可変の撮影レンズを備え、該撮影レンズの特定の撮影距離に関する情報を記憶し、該記憶した情報に基づく撮影距離に撮影レンズを位置決め可能なカメラシステムにおいて、
前記情報を記憶した際の第１の焦点距離とは異なる第２の焦点距離における前記特定の撮影距離での結像位置を求める演算手段と、
前記結像位置に基づいて前記特定の撮影距離を補正して得られる撮影距離に前記撮影レンズを位置決めする制御手段とを備えることを特徴とするカメラシステム。
【請求項３】
前記特定の撮影距離における前記撮影レンズの結像面と所定の結像面とのずれ量を検出するずれ量検出手段をさらに備え、
前記ずれ量検出手段によって、前記第１の焦点距離における前記特定の撮影距離での第１のずれ量を検出し、
前記演算手段は、前記第１及び第２の焦点距離と前記第１のずれ量とに基づいて、前記第２の焦点距離における前記特定の撮影距離での第２のずれ量を求め、
前記制御手段は、前記特定の撮影距離において前記撮影レンズが合焦しているとみなせる所定の範囲内に前記第２のずれ量が無い場合に、前記所定の範囲内に結像面が形成される位置に前記特定の撮影距離を補正することを特徴とする請求項２に記載のカメラシステム。
【請求項４】
前記第２のずれ量は、前記焦点調節光学系の単位移動量に対する結像面の変動量の比と第１のずれ量とに基づいて求めることを特徴とする請求項３に記載のカメラシステム。
【請求項５】
前記演算手段は、前記第２の結像位置に対して前記焦点距離の変化に伴う前記撮影レンズの結像位置の変動量を補正することを特徴とする請求項２乃至４のいずれか１項に記載のカメラシステム。
【請求項６】
焦点距離が可変の撮影レンズを備え、該撮影レンズの特定の撮影距離に関する情報を記憶し、該記憶した情報に基づく撮影距離に撮影レンズを位置決め可能なカメラシステムにおいて、
異なる複数の前記焦点距離における前記特定の撮影距離での結像位置の偏差を求める演算手段と、
前記偏差に基づいて前記特定の撮影距離を補正する補正手段と、
前記補正された撮影距離に前記撮影レンズを位置決めする制御手段とを備えることを特徴とするカメラシステム。
【請求項７】
光軸方向に移動して焦点調節を行う焦点調節光学系と、焦点距離を第１の焦点距離と第２の焦点距離とに変更可能な変倍光学系とを有する撮影レンズと、
前記焦点調節光学系を駆動する駆動手段と、
前記焦点調節光学系の位置に関する情報を検出する位置検出手段と、
前記撮影レンズの結像位置と所定の結像面とのずれ量を検出するずれ量検出手段と、
前記第１の焦点距離において前記撮影レンズが特定の撮影距離にある場合の前記焦点調節光学系の位置に関する情報と前記ずれ量とを記憶する記憶手段と、
前記第２の焦点距離において前記撮影レンズが前記特定の撮影距離にある場合の結像面と前記所定の結像面とのずれ量を、前記第１及び第２の焦点距離と前記記憶したずれ量とに基づいて求める演算手段と、
前記演算手段によって求めた前記ずれ量と、前記記憶した情報とに基づく光軸方向の位置に前記焦点調節光学系を駆動するように前記駆動手段を制御する制御手段とを備えたことを特徴とするカメラシステム。            
【発明の詳細な説明】
【技術分野】
【０００１】
本発明は、撮影レンズの特定の撮影距離に関する情報を記憶し、該記憶した情報に基
づく撮影距離に撮影レンズを位置決め可能なカメラシステムに関するものである。
【背景技術】
【０００２】
写真撮影をする時に、異なった距離にある複数の被写体のひとつにピントを合わせながら、咄嗟に他の特定の距離にある被写体にピントを合せて撮影したい場合がある。
例えば、野球撮影の場合、バッターにピントを合せて撮影中に、１塁ランナーが２塁へ盗塁したときには、咄嗟にカメラを２塁に向けピントを合わせて撮影する必要がある。このような撮影のときには、カメラを三脚に固定して一定の位置で撮影する場合が多く、また、被写体位置も特定の位置にある。従って、咄嗟にピントを合わせたい距離も決まったものとなるので、咄嗟の時に、特定の距離にピントを移動する機能があればとても重宝する。
【０００３】
そこで、あらかじめ、特定の距離にピント位置を記憶（以下、プリセットと呼ぶ）しておき、必要な時にその位置に復帰させる（以下、ゴーホームと呼ぶ）レンズ鏡筒に関する提案がされている（例えば、特許文献１参照）。
【特許文献１】特開平６−４３３５３号公報
【発明の開示】
【発明が解決しようとする課題】
【０００４】
上述の特許文献１に示すレンズ鏡筒ではレンズを記憶した位置にそのまま復帰させているが、記憶したときの前記撮影レンズの結像位置と所定の結像面とのずれ量が許容量ぎりぎりであった場合、ゴーホーム時に復帰誤差により許容範囲から外れる虞がある。
【０００５】
また、特許文献１のものは、焦点距離が固定の単焦点のレンズ鏡筒を開示するものであるが、撮影レンズには、単焦点レンズの他に、焦点距離が変えられるズームレンズがある。
【０００６】
ズームレンズを用いて、特定の距離にピントを復帰させる場合には、以下のような問題が発生する。
【０００７】
ピント合わせの光学系（フォーカスレンズ群）の光軸方向の移動量に対する結像面の変動量は、一般的にテレ側になるほど大きい。つまり、同じ光学系であっても、フォーカスレンズ群の光軸方向の移動量に対する、フォーカスレンズ群による結像面位置の変動量は、ワイド側よりテレ側の方が大きくなる。
【０００８】
このため、ワイド側からテレ側にズーミングを行った場合、フォーカスレンズ群の位置を固定していたとしても、ピント位置での像の変動量がワイド側よりテレ側の方が大きくなるため、フィルムやＣＣＤ等の像記録媒体の位置に対する結像位置のズレ量が拡大し、ピントズレが大きくなってしまう。
【０００９】
従って、ワイド側では合焦しているとみなせる状態であったものが、フォーカスレンズ群を固定したままであっても、ズーミングしてテレ側にするとピントが合っていない状態になってしまうという問題が発生する。
【００１０】
また、ズームレンズにおいて、特定の距離にピントを復帰させる（ゴーホーム動作をする）場合の他の問題として、以下のような問題も発生する。
【００１１】
ズームレンズは、ズーミングによって焦点移動（被写体像面位置のズレ）がないように設計されたレンズ鏡筒であるが、厳密には若干の変動がある。このズレは設計や部品のばらつきにより発生するもので、製造段階で微少量に調整するものの、ゼロにすることはできない。
【００１２】
レンズをセットした時の前記撮影レンズの結像位置と所定の結像面とのずれ量が許容量ぎりぎりであった場合、ズーミングにより焦点距離を変えると、焦点移動の変動により許容量から外れるという問題も発生する。
【００１３】
本発明の課題は、あらかじめ特定の撮影距離での合焦レンズ群位置を記憶しておき、必要な時にその位置に合焦レンズ群を復帰させる場合、セット時のズレ量が許容範囲ぎりぎりであったために復帰時にピントが合っていないおそれが生じる場合、あるいはズーム位置を変更したことによりピントが合っていないおそれが生じる場合に、ピントの合った位置にレンズ群を移動させるようにできるカメラシステムを提供することである。
【課題を解決するための手段】
【００１４】
本発明は、以下のような解決手段により、前記課題を解決する。なお、理解を容易にするために、本発明の実施形態に対応する符号を付して説明するが、これに限定されるものではない。
【００１５】
請求項１の発明は、撮影レンズ（２００）の特定の撮影距離に関する情報を記憶し、該記憶した情報に基づく撮影距離に撮影レンズ（２００）を位置決め可能なカメラシステムにおいて、前記特定の撮影距離における前記撮影レンズ（２００）の結像面と所定の結像面とのずれ量を検出するずれ量検出手段（２）と、前記ずれ量に基づいて前記特定の撮影距離を補正する補正手段と、前記補正された撮影距離に前記撮影レンズを位置決めする制御手段とを備えることを特徴とするカメラシステムである。
【００１６】
請求項２の発明は、焦点距離が可変の撮影レンズ（２００）を備え、該撮影レンズ（２００）の特定の撮影距離に関する情報を記憶し、該記憶した情報に基づく撮影距離に撮影レンズ（２００）を位置決め可能なカメラシステムにおいて、前記情報を記憶した際の第１の焦点距離とは異なる第２の焦点距離における前記特定の撮影距離での結像位置を求める演算手段（１０）と、前記結像位置に基づいて前記特定の撮影距離を補正して得られる撮影距離に前記撮影レンズを位置決めする制御手段と、を備えるカメラシステムである。
【００１７】
請求項３の発明は、請求項２に記載のカメラシステムにおいて、前記特定の撮影距離における前記撮影レンズ（２００）の結像面と所定の結像面とのずれ量を検出するずれ量検出手段（２）をさらに備え、前記ずれ量検出手段（２）によって、前記第１の焦点距離における前記特定の撮影距離での第１のずれ量を検出し、前記演算手段（１０）は、前記第１及び第２の焦点距離と前記第１のずれ量とに基づいて、前記第２の焦点距離における前記特定の撮影距離での第２のずれ量を求め、前記制御手段は、前記特定の撮影距離において前記撮影レンズ（２００）が合焦しているとみなせる所定の範囲内に前記第２のずれ量が無い場合に、前記所定の範囲内に結像面が形成される位置に前記特定の撮影距離を補正するものである。
【００１８】
請求項４の発明は、請求項３に記載のカメラシステムにおいて、前記第２のずれ量を、
前記焦点調節光学系の単位移動量に対する結像面の変動量の比と第１のずれ量とに基づいて求めるものである。
【００１９】
請求項５の発明は、請求項２乃至４のいずれか１項に記載のカメラシステムにおいて、前記演算手段（１０）が、前記第２の結像位置に対して前記焦点距離の変化に伴う前記撮影レンズ（２００）の結像位置の変動量を補正するものである。
【００２０】
請求項６の発明は、焦点距離が可変の撮影レンズ（２００）を備え、該撮影レンズ（２００）の特定の撮影距離に関する情報を記憶し、該記憶した情報に基づく撮影距離に撮影レンズ（２００）を位置決め可能なカメラシステムにおいて、異なる複数の前記焦点距離における前記特定の撮影距離での結像位置の偏差を求める演算手段（１０）と、前記偏差に基づいて前記特定の撮影距離を補正する補正手段と、前記補正された撮影距離に前記撮影レンズを位置決めする制御手段と、を備えるカメラシステムである。
【００２１】
請求項７の発明は、光軸方向に移動して焦点調節を行う焦点調節光学系（Ｌ１）と、焦点距離を第１の焦点距離と第２の焦点距離とに変更可能な変倍光学系（Ｌ２）とを有する撮影レンズ（２００）と、前記焦点調節光学系（Ｌ１）を駆動する駆動手段（１）と、前記焦点調節光学系の位置に関する情報を検出する位置検出手段（３）と、前記撮影レンズの結像位置と所定の結像面とのずれ量を検出するずれ量検出手段（２）と、前記第１の焦点距離において前記撮影レンズ（２００）が特定の撮影距離にある場合の前記焦点調節光学系（Ｌ１）の位置に関する情報と前記ずれ量とを記憶する記憶手段（７，８）と、前記第２の焦点距離において前記撮影レンズが前記特定の撮影距離にある場合の結像面と前記所定の結像面とのずれ量を、前記第１及び第２の焦点距離と前記記憶したずれ量とに基づいて求める演算手段（１０）と、前記演算手段（１０）によって求めた前記ずれ量と、前記記憶した情報とに基づく光軸方向の位置に前記焦点調節光学系を駆動するように前記駆動手段（１）を制御する制御手段と、を備えたカメラシステムである。
【発明の効果】
【００２２】
本発明によれば、以下の効果を奏することができる。
（１）前記位置記憶操作部の操作により記憶させた位置に前記フォーカスレンズ群を復帰したときに、前記位置記憶操作部操作時のズレ量が許容範囲ぎりぎりの場合、前記位置復帰操作部を操作すると復帰誤差により復帰位置が許容範囲を外れてしまい、合焦していないおそれがある場合が生じるが、そのような場合でも、ズレ量検出手段によって検出した前記位置記憶操作部操作時のズレ量を使用して、前記位置復帰操作部操作時の復帰位置を補正するので、前記位置記憶操作時よりもズレ量の少ない位置に復帰させることができる。
（２）前記位置記憶操作部の操作により記憶させた位置に前記フォーカスレンズ群を復帰したときに、前記位置記憶操作部操作時と異なる焦点距離で前記位置復帰操作部を操作すると合焦していないおそれがある場合が生じるが、そのような場合でも、位置復帰操作部を操作したときの結像位置を演算し、演算した結像位置に基づいて復帰位置を補正するので、予期せずピントの甘い写真を撮影してしまうことを防止することができる。
（３）ズレ量検出手段をさらに備え、該ズレ量検出手段によって検出した前記位置記憶操作部操作時のズレ量を使用して、前記位置復帰操作部操作時のズレ量を演算するので、前記位置復帰操作部操作時のズレ量が所定の範囲内にない場合に、所定の範囲内に収まるように補正することができ、予期せずピントの甘い写真を撮影してしまうことを防止することができる。
（４）前記位置復帰操作部操作時のズレ量を、像面移動係数と前記位置記憶操作部操作時のズレ量とに基づいて求めるので、前記位置復帰操作部操作時のズレ量が所定の範囲内にない場合に、所定の範囲内に収まるように補正することができ、予期せずピントの甘い写
真を撮影してしまうことを防止することができる。
（５）前記演算において、焦点距離の変化による焦点移動量を考慮するので、正確なズレ量を演算することができ、前記位置復帰操作部操作時のズレ量が所定の範囲内にない場合に、所定の範囲内に収まるように補正することができ、予期せずピントの甘い写真を撮影してしまうことを防止することができる。
（６）前記位置記憶操作部の操作により記憶させた位置に前記フォーカスレンズ群を復帰したときに、前記位置記憶操作部操作時と異なる焦点距離で前記位置復帰操作部を操作すると合焦していないおそれがある場合が生じるが、そのような場合でも、前記位置記憶操作部を操作したときと前記位置復帰操作部を操作したときとの結像位置の偏差を演算し、偏差に基づいて復帰位置を補正するので、予期せずピントの甘い写真を撮影してしまうことを防止することができる。
（７）第１と第２の焦点距離とに変更可能な変倍光学系を有する撮影レンズにおいて、第１焦点距離での焦点調節光学系の位置情報とズレ量とを記憶し、第１及び第２の焦点距離と第１焦点距離でのズレ量より第２焦点距離でのズレ量を求め、求めたズレ量と記憶した情報とに基づいて焦点調節光学系を駆動するので、正確な補正を行うことができ、予期せずピントの甘い写真を撮影してしまうことを防止することができる。
【発明を実施するための最良の形態】
【００２３】
以下、図面を参照しながら、本発明の実施の形態について、更に詳しく説明する。
【実施形態１】
【００２４】
図１は、本発明の第１実施形態によるレンズ鏡筒を備えたカメラシステムを説明するブロック図である。
【００２５】
本実施形態におけるカメラシステムは、カメラ１００に対して着脱自在なレンズ鏡筒２００を備えたカメラシステムである。レンズ鏡筒２００は単焦点レンズでもズームレンズでもよい。
【００２６】
レンズ鏡筒２００は、フォーカスレンズ群Ｌ１、駆動機構１、ピント検出装置２、フォーカスレンズ群位置検出装置３、位置記憶操作釦６、レンズ群位置記憶装置７、ピントズレ量記憶装置８、復帰操作釦９、ＣＰＵ１０等を備えている。
【００２７】
フォーカスレンズ群Ｌ１は、光軸方向の移動によってピント合わせが可能なレンズ群であり、駆動機構１により駆動される。
【００２８】
駆動機構１は、フォーカスレンズ群Ｌ１を駆動させる手段であり、ＣＰＵ１０により制御される。
【００２９】
ピント検出装置２は、像記録媒体の位置とレンズ鏡筒２００により形成される結像面の位置との光軸方向のズレ量を検出する。
【００３０】
フォーカスレンズ群検出装置３は、フォーカスレンズ群Ｌ１の光軸方向の位置を検出する装置である。フォーカスレンズ群検出装置３が検出したフォーカスレンズ群Ｌ１の位置情報は、レンズ群位置記憶装置７及びＣＰＵ１０へ伝えられる。
【００３１】
位置記憶操作釦６は、これを操作することによってフォーカスレンズ群Ｌ１の位置を記憶（プリセット）させるための指示部である。
【００３２】
レンズ群位置記憶装置７は、プリセット指示された時のフォーカスレンズ群検出装置３
の出力値を記憶する装置である。
【００３３】
ピントズレ量記憶装置８は、位置記憶操作釦６が操作された時のピント検出装置２の出力値（即ち、フォーカスレンズ群による決像面と像記録媒体の位置とのずれ量）を記憶する。
【００３４】
位置復帰操作釦９は、これを操作することにより、記憶されたプリセット位置にフォーカスレンズ群Ｌ１を復帰（ゴーホーム）させるための指示部である。
【００３５】
ＣＰＵ１０は、位置復帰操作釦９が操作された時に、フォーカスレンズ群Ｌ１の補正された復帰位置を演算する。
【００３６】
次に、本実施形態におけるレンズ鏡筒及びカメラシステムの動作について説明する。
【００３７】
最初に、撮影者は、オートフォーカス手段若しくはマニュアルフォーカス手段によって焦点調節を行い、フォーカスレンズ群Ｌ１を、記憶させたい被写体位置に対してピントが合ったとみなせる位置に移動させる。
【００３８】
ピントが合ったとみなせる状態で、位置記憶操作釦６を操作し、この時のフォーカスレンズ群の位置をプリセットする。
【００３９】
位置記憶操作釦６が操作されると、この時点でのフォーカスレンズ群による結像面と像記録媒体の位置との光軸方向のズレ量がピント検出装置により検出され、ピントズレ量記憶装置８に記憶される。
【００４０】
同時に、位置記憶操作釦６が操作された時のフォーカスレンズ群Ｌ１の位置をフォーカスレンズ群位置検出装置３により検出し、その検出値をレンズ群位置記憶装置７に記憶する。
【００４１】
その後、撮影者は、さまざまなフォーカス位置で撮影をおこなった後、咄嗟にプリセットした位置にフォーカスレンズを戻す必要が生じたときに位置復帰操作釦９を操作する。
【００４２】
位置復帰操作釦９が操作されると、ＣＰＵ１０は、プリセットしたフォーカス位置のデータをレンズ群位置記憶装置７から引き出し、駆動機構１によりフォーカスレンズ群Ｌ１を予めプリセットした位置に駆動させようとする。
【００４３】
このとき、例えば、位置記憶操作釦６を操作したときのズレ量が許容範囲ぎりぎりであり、位置復帰操作釦９を操作してゴーホームして撮影しようとしているときに復帰誤差により許容範囲外に復帰した場合、ピントが甘い写真となってしまうおそれがある。
【００４４】
そこで、本実施形態では、このような場合でもピントの合った写真が撮影されるように、ＣＰＵ１０により、フォーカスレンズ群Ｌ１の復帰位置を補正する。
【００４５】
ここで、位置復帰操作釦９が操作されたときの動作について説明する。
【００４６】
位置復帰操作釦９が操作されると、
ＣＰＵ１０は、レンズ群位置記憶装置７に記憶された位置記憶操作釦６操作時のフォーカス群位置データ、ピントズレ量記憶装置８に記憶された位置記憶操作釦６操作時の像記録媒体の位置と結像面の位置とのズレ量とを引き出す。
【００４７】
そして、位置記憶操作釦６操作時のフォーカス群位置データと、像記録媒体の位置と結像面の位置とのズレ量より、結像面がピント許容範囲内に収まるように、フォーカスレンズ群Ｌ１の復帰位置を演算する。
【００４８】
駆動機構１は、ＣＰＵ１０により演算された復帰位置に基づいて、フォーカスレンズ群Ｌ１を移動させる。
【実施形態２】
【００４９】
図２は本発明の第２実施形態によるレンズ鏡筒を備えたカメラシステムを説明するブロック図である。
【００５０】
本実施形態におけるカメラシステムは、カメラ１００に対して着脱自在なレンズ鏡筒２００を備えたカメラシステムである。
【００５１】
レンズ鏡筒２００は、フォーカスレンズ群Ｌ１、ズームレンズ群Ｌ２、駆動機構１、ピント検出装置２、フォーカスレンズ群位置検出装置３、ズームレンズ群位置検出装置４、ズームレンズデータ記憶装置５、位置記憶操作釦６、レンズ群位置記憶装置７、ピントズレ量記憶装置８、復帰操作釦９、ＣＰＵ１０等を備えている。
【００５２】
フォーカスレンズ群Ｌ１は、光軸方向の移動によってピント合わせが可能なレンズ群であり、駆動機構１により駆動される。
【００５３】
ズームレンズ群Ｌ２は、光軸方向の移動によって焦点距離を変化させるレンズ群であり、本実施形態では不図示のズーム環を撮影者が手動で操作することにより駆動力を得て移動する。
【００５４】
駆動機構１は、フォーカスレンズ群Ｌ１を駆動させる手段であり、ＣＰＵ１０により制御される。
【００５５】
ピント検出装置２は、フィルムやＣＣＤ等の像記録媒体の位置とレンズ鏡筒２００により形成される結像面の位置との光軸方向のズレ量を検出する。
【００５６】
フォーカスレンズ群検出装置３は、フォーカスレンズ群Ｌ１の光軸方向の位置を検出する装置である。フォーカスレンズ群検出装置３が検出したフォーカスレンズ群Ｌ１の位置情報は、レンズ群位置記憶装置７及びＣＰＵ１０へ伝えられる。
【００５７】
ズームレンズ群検出装置４は、ズームレンズ群Ｌ２の光軸方向の位置を検出する装置である。ズームレンズ群検出装置４が検出したズームレンズ群Ｌ２の位置情報は、レンズ群位置記憶装置７及びＣＰＵ１０へ伝えられる。
【００５８】
ズームレンズデータ記憶装置５は、ズームレンズ群の位置に応じた焦点距離に対応する像面移動係数（フォーカスレンズ群の光軸方向の単位移動量と結像面の変動量との比）と、ズームレンズ群の位置に応じた焦点距離に対応する焦点移動量とをデータとして記憶している。データは、製品個々に測定して記憶してもよいし、製品の傾向が同じでばらつきがなければ、標準的なデータを記憶しても良い。
【００５９】
図３は、ズームレンズにおける、ピント位置の関係を示す図である。図３において、１点鎖線は、フィルムやＣＣＤ等の像記録媒体の位置を示している。また、破線は、焦点深度等によってフィルムやＣＣＤ等の像記録媒体に対しピントが合っているとみなせる結像位置の光軸方向のずれ量の範囲の限界を示している。したがって、図３において、撮影レ
ンズによって形成される結像面が１点鎖線と破線の間にあればピントが合っているとみなせることになる。
【００６０】
図３中の破線と１点鎖線との距離（ピントが合っているとみなせる範囲）は、Ｆナンバー（絞り値）によって変化するが、焦点距離によって変化することは無い。ワイド側（焦点距離が短い側）とテレ側（焦点距離が長い側）でＦナンバーに変化がない場合は一定となり、図３のように、破線と１点鎖線は平行になる。
【００６１】
像面移動係数は、テレ側になるほど大きくなるため、ワイド側での結像面（ａ点）が破線と一点鎖線との間にありピントが合っているとみなせる場合でも、焦点距離をテレ側に変化させると、像記録媒体の位置と結像面の位置とのずれ量が拡大され、結像面がｂ点に移動してしまい、ピントが合っていない状態になってしまう。
【００６２】
図４は、ズームレンズにおける焦点距離と焦点移動との関係を示す図である。図４において、１点鎖線はフィルムやＣＣＤ等の像記録媒体の位置を示している。破線は、焦点深度等によってフィルムやＣＣＤ等の像記録媒体に対しピントが合っているとみなせる結像位置の光軸方向のずれ量の範囲の限界を示している。また、実線はズーミングによる焦点移動の変化を示す。図４より、仮にワイド側で結像位置が１点鎖線上に調整できたとしても、ズーミングしたときに焦点距離によってはわずかに１点鎖線から外れることがわかる。実線と１点鎖線との差が焦点移動量である。
【００６３】
位置記憶操作釦６は、これを操作することによってフォーカスレンズ群Ｌ１の位置を記憶（プリセット）させるための指示部である。
【００６４】
レンズ群位置記憶装置７は、プリセット指示された時のフォーカスレンズ群検出装置３及びズームレンズ群検出装置４の出力値を記憶する装置である。
【００６５】
ピントズレ量記憶装置８は、位置記憶操作釦６が操作された時のピント検出装置２の出力値（即ち、フォーカスレンズ群による結像面と像記録媒体の位置とのずれ量）を記憶する。
【００６６】
位置復帰操作釦９は、これを操作することにより、記憶されたプリセット位置にフォーカスレンズ群Ｌ１を復帰（ゴーホーム）させるための指示部である。
【００６７】
ＣＰＵ１０は、位置復帰操作釦９が操作された時に、フォーカスレンズ群Ｌ１の補正された復帰位置を演算する。
【００６８】
次に、本実施形態におけるレンズ鏡筒及びカメラシステムの動作について説明する。
【００６９】
最初に、撮影者は、オートフォーカス手段若しくはマニュアルフォーカス手段によって焦点調節を行い、フォーカスレンズ群Ｌ１を、記憶させたい被写体に対してピントが合ったとみなせる位置に移動させる。
【００７０】
ピントが合ったとみなせる状態で、位置記憶操作釦６を操作し、この時のフォーカスレンズ群の位置をプリセットする。
【００７１】
位置記憶操作釦６が操作されると、この時点でのフォーカスレンズ群による結像面と像記録媒体の位置との光軸方向のズレ量がピント検出装置により検出され、ピントズレ量記憶装置８に記憶される。
【００７２】
同時に、位置記憶操作釦６が操作された時のフォーカスレンズ群Ｌ１の位置をフォーカスレンズ群位置検出装置３により検出し、その検出値をレンズ群位置記憶装置７に記憶する。また、ズームレンズ群Ｌ２の位置をズームレンズ群位置検出装置４により検出し、その検出値をレンズ群位置記憶装置７に記憶する。
【００７３】
その後、撮影者は、さまざまなフォーカス位置や焦点距離で撮影をおこなった後、咄嗟にプリセットした位置にフォーカスレンズを戻す必要が生じたときに位置復帰操作釦９を操作する。
【００７４】
位置復帰操作釦９が操作されると、ＣＰＵ１０は、プリセットしたフォーカス位置のデータをレンズ群位置記憶装置７から引き出し、駆動機構１によりフォーカスレンズ群Ｌ１を予めプリセットした位置に駆動させようとする。
【００７５】
このとき、例えば、位置記憶操作釦６を操作したときのズーム位置がワイド側であり、位置復帰操作釦９を操作してゴーホームして撮影しようとしているときのズーム位置がテレ側である場合、ピントが甘い写真となってしまうおそれがある。
【００７６】
そこで、本実施形態では、このような場合でもピントの合った写真が撮影されるように、演算手段１０により、フォーカスレンズ群Ｌ１の復帰位置を補正する。
【００７７】
ここで、位置復帰操作釦９が操作されたときの動作について説明する。
【００７８】
位置復帰操作釦９が操作されると、ズームレンズ群位置検出装置４は、ズームレンズ群Ｌ２の位置を検出する。
【００７９】
ＣＰＵ１０は、レンズ群位置記憶装置７に記憶された位置記憶操作釦６操作時のフォーカス群位置データとズーム群位置データ、ピントズレ量記憶装置８に記憶された位置記憶操作釦６操作時の像記録媒体の位置と結像面の位置とのズレ量とを引き出す。
【００８０】
さらに、レンズ群位置記憶装置７に記憶された位置記憶操作釦６操作時のズーム群位置に相当する焦点移動データと像面移動係数、及びズームレンズ群位置検出装置４により検出された位置復帰操作釦９操作時のズームレンズ群Ｌ２位置に相当する焦点移動データと像面移動係数を、ズームレンズデータ記憶装置５より引き出す。
【００８１】
そして、両焦点移動データ、両像面移動係数、及び位置記憶操作釦６操作時のフォーカス群位置データと像記録媒体の位置と結像面の位置とのズレ量より、位置復帰操作釦９操作時のズーム位置での像記録媒体の位置と結像面の位置とのズレ量を算出する。
【００８２】
位置復帰操作釦９操作時のズーム位置での像記録媒体の位置と結像面の位置とのズレ量が、ピント許容範囲内に収まるかどうかを判定し、許容範囲を超えると判定される時には、ピント許容範囲内に収まるようなフォーカスレンズ群Ｌ１の復帰位置を演算する。
【００８３】
駆動機構１は、ＣＰＵ１０により演算された復帰位置に基づいて、フォーカスレンズ群Ｌ１を移動させる。
【００８４】
さらに、位置復帰操作釦９が操作されたままの間は、ズーミングによりズーム群位置検出手段の検出結果に変化があった時に、再度新たなズーム群位置データで再演算を行い、その結果に応じてフォーカスレンズ群を移動させることにより、復帰操作後にズーミングを行った時にも、ピントの合った写真が得られるようにする。
【実施形態３】
【００８５】
図５は本発明の第３実施形態によるレンズ鏡筒を備えたカメラシステムを説明するブロック図である。
【００８６】
第３実施形態の構成は、第２実施形態と比べて、ズームレンズデータ記憶装置５のデータにズームレンズ群の位置に応じた焦点距離に対応する焦点移動量データが含まれない点が異なっている。
【００８７】
第３実施形態の作動は、位置復帰操作釦９が操作されるまでの作動については、第２実施形態と同様である。
【００８８】
位置復帰操作釦９が操作されると、
ズームレンズ群位置検出装置４は、ズームレンズ群Ｌ２の位置を検出する。
【００８９】
ＣＰＵ１０は、レンズ群位置記憶装置７に記憶された位置記憶操作釦６操作時のフォーカス群位置データとズーム群位置データ、ピントズレ量記憶装置８に記憶された位置記憶操作釦６操作時のフィルム等の像記録手段位置と結像面位置とのズレ量とを読み出す。
【００９０】
さらに、レンズ群位置記憶装置７に記憶された位置記憶操作釦６操作時のズーム群位置に相当する像面移動係数、ズーム群位置検出装置４により検出された位置復帰操作釦９操作時のズームレンズ群Ｌ２位置に相当する像面移動係数を、像面移動係数記憶装置１１より読み出す。
【００９１】
そして、両像面移動係数、及び位置記憶操作釦６操作時のフォーカス群位置データと像記録媒体の位置と結像面の位置とのズレ量より、位置復帰操作釦９操作時のズーム位置での像記録媒体の位置と結像面の位置とのズレ量を算出する。
【００９２】
位置復帰操作釦９操作時のズーム位置での像記録媒体の位置と結像面の位置とのズレ量が、ピント許容範囲内に収まるかどうかを判定し、許容範囲を超えると判定される時には、ピント許容範囲内に収まるようなフォーカスレンズ群Ｌ１の復帰位置を演算する。
【００９３】
駆動機構１は、ＣＰＵ１０により演算された復帰位置に基づいて、フォーカスレンズ群を移動させる。
【００９４】
さらに、位置復帰操作釦９が操作されたままの間は、ズーミングによりズームレンズ群位置検出装置４の検出結果に変化があった時に、再度新たなズーム群位置データで再演算を行い、その結果に応じてフォーカスレンズ群Ｌ１を移動させることにより、復帰操作後にズーミングを行った時にも、ピントの合った写真が得られるようになる。
【００９５】
第１実施形態において、フォーカスレンズ群位置検出装置３はフォーカスレンズ群Ｌ１の光軸方向位置を検出しているが、フォーカスレンズ群位置を特定できる部分を検出すればよく、フォーカスレンズ群移動手段が回転する場合はその角度位置、直進する場合はその光軸方向位置を検出する方式でもよい。
【００９６】
第２〜第３実施形態においても、フォーカスレンズ群位置検出装置３はフォーカスレンズ群Ｌ１の光軸方向位置を検出し、ズームレンズ群位置検出装置４はズームレンズ群Ｌ２の光軸方向位置を検出しているが、フォーカスレンズ群位置とズームレンズ群位置とを特定できる部分を検出すればよく、フォーカスレンズ群移動手段やズームレンズ群移動手段が回転する場合はその角度位置、直進する場合はその光軸方向位置を検出する方式でもよい。
【００９７】
また、第２〜第３実施形態において、ＣＰＵ１０は位置復帰操作部９操作時のズーム位置での像記録媒体の位置と結像面の位置とのズレ量を算出しているが、位置記憶操作釦６操作時と位置復帰操作釦９操作時とのズレ量の偏差を算出し、その偏差に基づいてフォーカスレンズ群を補正してもよい。
【００９８】
さらに、位置復帰操作釦９が操作されたままの間はズーミングに応じて再演算を行うようにしているが、前記演算手段による演算結果に応じて前記復帰操作が行われた後、カメラのメインスイッチあるいはシャッター半押しスイッチがＯＮされたままで、かつ前記フォーカスレンズ群駆動手段が新たに自動合焦動作または手動合焦動作で作動されない間は、前記ズーム位置検出手段の検出結果に変化があった時に、前記ズーム位置検出手段の検出結果に応じて再演算を行い、フォーカス群位置を再調整する方式でもよい。
【００９９】
さらに、各機能の配置は、図の配置に限定されない。
【図面の簡単な説明】
【０１００】
【図１】本発明の第１実施形態によるレンズ鏡筒を備えたカメラシステムを説明するブロック図である。
【図２】本発明の第２実施形態によるレンズ鏡筒を備えたカメラシステムを説明するブロック図である。
【図３】第２実施形態におけるレンズ鏡筒のピント位置の関係を示す図である。
【図４】第２実施形態におけるレンズ鏡筒のズーミングによる焦点移動を説明する図である。
【図５】本発明の第３実施形態によるレンズ鏡筒を備えたカメラシステムを説明するブロック図である。
【符号の説明】
【０１０１】
１：駆動機構
２：ピント検出装置
３：フォーカス群位置検出装置
４：ズーム群位置検出装置
５：ズームレンズデータ記憶装置
６：記憶操作釦
７：レンズ群位置記憶装置
８：ピントズレ量記憶装置
９：復帰操作釦
１０：ＣＰＵ
１００：カメラ
２００：ズームレンズ
Ｌ１：フォーカスレンズ群
Ｌ２：ズームレンズ群
【図１】
2005099084.tif 000003
【図２】
2005099084.tif 000004
【図３】
2005099084.tif 000005
【図４】
2005099084.tif 000006
【図５】
2005099084.tif 000007